(57)【特許請求の範囲】
【請求項１】
ガスボンベ（６）のタップ用のカバー（４）であって、
タップを収容するためのシェル（７，８）と、
前記シェル（８）上に枢動可能に取り付けられかつ前記ガスボンベ（６）を水平バー（２８）に固定するように構成されたフック（１２）とを含み、
前記シェル（８）が、その外面に、該外面に略適合するように格納位置で前記フック（１２）を受容するように構成されたフック受容部（３０）を含み、
前記フックが、前記シェル（８）の一端に枢動可能に取り付けられかつ接続バー（１２３）によって結合された２つのアーム（１２１，１２２）を含むことを特徴とするカバー（４）。
【請求項２】
前記２つのアームが、その枢動端から、前記フック（１２）が前記格納位置をとるときに前記枢動端の向かい側に位置する前記シェル（８）の垂直半部まで、弓形に延在することを特徴とする請求項１に記載のカバー（４）。
【請求項３】
前記接続バー（１２３）が、前記フックの展開を容易にするための把持手段を含み、該把持手段が、前記接続バーに形成された切欠き（１３）を含むことを特徴とする請求項２に記載のカバー（４）。
【請求項４】
前記シェルが、上方ハーフシェル（７）及び下方ハーフシェル（８）を含み、前記上方及び下方ハーフシェル（７，８）が、垂直方向に対して３０〜６０°の角度をなす接触面（１０）に沿って互いに結合されることを特徴とする請求項１ないし３のいずれか１項に記載のカバー（４）。
【請求項５】
前記フック（１２）が、前記下方ハーフシェル（８）上に枢動可能に取り付けられており、該ハーフシェル（８）が、前記格納位置で前記フック（１２）を受容するフック受容部（３０）を含むことを特徴とする請求項４に記載のカバー（４）。
【請求項６】
前記上方ハーフシェル（７）が、前記タップを収容するように構成された前記シェルの壁より上に実質的に水平に延出するハンドル（２６）を含むことを特徴とする請求項４または５に記載のカバー（４）。
【請求項７】
前記上方ハーフシェル（７）が、前記タップのフローセレクタ（２０）にアクセスするための上方開口部（１８）と、前記タップのガス出口（１６）にアクセスするための下方開口部（１４）とを含むことを特徴とする請求項４ないし６のいずれか１項に記載のカバー（４）。
【請求項８】
前記上方及び下方ハーフシェル（７，８）の両者が、前記接触面（１０）の高さにおいて側面開口部（２２）を相補的に形成し、該開口部（２２）が、前記タップの接続ポート（２４）にアクセスするためのものであることを特徴とする請求項４ないし７のいずれか１項に記載のカバー（４）。
【請求項９】
前記上方ハーフシェル（７）が、略球形であることを特徴とする請求項４ないし８のいずれか１項に記載のカバー（４）。
【請求項１０】
前記上方及び下方ハーフシェル（７，８）間の前記接触面（１０）が、前記カバー（４）の後側部分（３２）において上方部分を含み、前記フック（１２）が、前記シェルの前記後側部分（３２）上に枢動可能に取り付けられていることを特徴とする請求項４ないし９のいずれか１項に記載のカバー（４）。
【請求項１１】
前記下方ハーフシェル（８）が、前記シェルの上後側部分から下前側部分まで延在するように構成されており、かつ前記ガスボンベ（６）のネック部を受容するための開口部を含むことを特徴とする請求項４ないし１０のいずれか１項に記載のカバー（４）。
【請求項１２】
前記下方ハーフシェル（８）が、前記フック（１２）が枢動可能に取り付けられた後側部分（３２）を含み、該後側部分が、前記水平バー（２８）に接触するための略平坦部分を含むことを特徴とする請求項４ないし１１のいずれか１項に記載のカバー（４）。
【請求項１３】
前記フック（１２）が、プラスチック、アルミニウムまたは複合材料で作られたものであることを特徴とする請求項１ないし１２のいずれか１項に記載のカバー（４）。
【請求項１４】
前記２つのアームが、４０ｍｍ２以上の断面積を有する弓形アーム（１２１，１２２）であることを特徴とする請求項１ないし１３のいずれか１項に記載のカバー（４）。
【請求項１５】
前記２つのアームが、略三角形状の断面を有する弓形アーム（１２１，１２２）であることを特徴とする請求項１ないし１４のいずれか１項に記載のカバー（４）。
【請求項１６】
前記２つのアームが、中心角１２０〜２００°の扇形の弧にわたって、実質的に一定半径で弓形に延在するアーム（１２１，１２２）であることを特徴とする請求項１ないし１５のいずれか１項に記載のカバー（４）。
【請求項１７】
ガス貯蔵アセンブリ（２）であって、
ネック部分を有するガスボンベ（６）と、
前記ネック部分に固定されたタップと、
前記タップを覆うカバー（４）とを含み、
前記カバー（４）が、請求項１ないし１６のいずれか１項に記載のカバー（４）であることを特徴とするガス貯蔵アセンブリ（２）。
【請求項１８】
前記タップが、上方部分においてフローセレクタ（２０）を、下方部分においてガス出口（１６）を、側面部分において接続ポート（２４）、充填ポート、遮断弁のうちの少なくとも１つをそれぞれ含み、前記シェル（７，８）が、前記フローセレクタ（２０）、ガス出口（１６）及び接続ポート（２４）、充填ポート及び／または遮断弁へのアクセスをそれぞれ提供する上方開口部（１８）、下方開口部（１４）及び側面開口部（２２）を含むことを特徴とする請求項１７に記載のガス貯蔵アセンブリ（２）。
【発明の詳細な説明】
【技術分野】
【０００１】
本発明は、ガスボンベのタップ（元栓部）用のカバーに関する。本発明はまた、ガスボンベと、タップと、該タップのカバーとを含むガス貯蔵アセンブリにも関する。
【背景技術】
【０００２】
公開された先行技術特許文献である欧州特許出願公開第２５８６４８１Ａ１号（特許文献１）には、ガスボンベのタップ用のカバーが開示されている。カバーは、ガスボンベの長手方向軸線を含む垂直接触面上で結合された２つのハーフシェルでできている。カバーにはフックが枢動可能に取り付けられており、フックは、使用中のガスボンベを構造体に吊るすことを目的としたものである。フックは、使用していないときには自由に垂れ下がってガスボンベに接触するように取り付けられている。輸送中、この接触は、望ましくない騒音をもたらし得る。さらに、フックの端部は、ガスボンベを操作するときに、望んでもいないように妨げになりかねない。カバーはまた、接合面において鋭角を含む可能性がある。カバーはまた、ガスボンベにタップをねじ留めした後にガスボンベのタップに取り付けるように構成されており、したがって時間の掛かる作業の原因となる。
【０００３】
公開された先行技術特許文献である国際公開公報第２０１３／００１１９０Ａ１号（特許文献２）には、特許文献１と同様に、ガスボンベのタップ用の保護カバーが開示されている。カバーは、組み立てられた２つのハーフシェルを含み、該２つのハーフシェルは、ガスボンベのネック部に取り付けられることになる底部を画定し、２つのハーフシェルは該底部に垂直な垂直面に沿って組み立てられている。２つのハーフシェルは、組み立てられた状態において、内部保護空間にアクセスするための少なくとも１つの開口部を画定する。さらにまた、キャップの上端においては、２つのハーフシェルを補強し固定するための部分が含まれ、該補強固定部分は、２つのハーフシェルの各々に結合された２つの端部を含む。補強固定部分は、略横材状であり、かつ２つのハーフシェルによって形成されたフレーム上に取り付けられており、該フレームは、キャップを把持するための上部ハンドルからなる補強部分によって覆われており、補強固定部分の両端は、ハーフシェルにスナップ結合されている。カバーには、摺動しかつ枢動するフックが設けられている。このフックは、ガスボンベをベッド（例えば病院のベッド）の水平バーに取り付けることを目的としたものである。フックは、２つの湾曲したアームの能動的端部が横断バーによって結合されている点が興味深い。したがって、アームには自由端が存在しておらず、もし存在すればガスボンベの周囲の様々な物体に意図せず引っ掛かる可能性がある。フックを部分的にカバー内に戻すこともできる。しかし、アームの湾曲した端部及び横断バーは、依然としてカバーの外側にとどまっており、したがって、尚もガスボンベを操作するときに妨げになりかねない。特許文献１のカバーと同様に、特許文献２のカバーもまた、ガスボンベにタップをねじ留めした後でガスボンベのタップに取り付けるように構成されており、したがって時間の掛かる作業の原因となる。
【０００４】
上記両特許文献のカバーはまた、かなり嵩張る。
【先行技術文献】
【特許文献】
【０００５】
【特許文献１】欧州特許出願公開第２５８６４８１Ａ１号
【特許文献２】国際公開公報第２０１３／００１１９０Ａ１号
【発明の概要】
【発明が解決しようとする課題】
【０００６】
本発明は、技術的問題の解決のために、改良されたフック付きガスボンベタップカバーを提供する。より詳細には、本発明は、技術的問題の解決のために、使用時により使い易いフック付きガスボンベタップカバーを提供する。
【課題を解決するための手段】
【０００７】
本発明は、ガスボンベのタップ用のカバーであって、タップを収容するためのシェルと、該シェル上に枢動可能に取り付けられかつガスボンベを水平バーに固定するように構成されたフックとを含み、シェルが、その外面に、該外面に略適合するように格納位置でフックを受容するように構成されたフック受容部（reservation）を含むようなカバーに関する。
【０００８】
本発明の或る好適実施形態によれば、フックは、シェルの一端に枢動可能に取り付けられかつ接続バーによって結合された２つのアームを含み、該アームは、その枢動端から、フックが格納位置をとるときに枢動端の向かい側に位置するシェルの垂直半部まで、弓形に延在する。
【０００９】
本発明の或る好適実施形態によれば、接続バーは、フックの展開を容易にするための把持手段を含み、該把持手段は、好適にはバーに形成された切欠きを含む。
【００１０】
本発明の或る好適実施形態によれば、シェルは、上方ハーフシェル及び下方ハーフシェルを含み、これらのハーフシェルは、垂直方向に対して３０〜６０°、好適には４０〜５０°の角度をなす接触面に沿って互いに結合されている。
【００１１】
本発明の或る好適実施形態によれば、フックは、下方ハーフシェル上に枢動可能に取り付けられており、該ハーフシェルは、フックを格納位置で受容するフック受容部を含む。
【００１２】
本発明の或る好適実施形態によれば、上方ハーフシェルは、タップを収容するように構成された該シェルの壁より上に実質的に水平に延出するハンドルを含む。
【００１３】
本発明の或る好適実施形態によれば、上方ハーフシェルは、タップのフローセレクタにアクセスするための第１の上方開口部と、タップのガス出口にアクセスするための下方開口部とを含む。
【００１４】
本発明の或る好適実施形態によれば、上方及び下方ハーフシェルの両者は、接触面の高さにおいて少なくとも１つの側面開口部を相補的に形成し、該開口部は、タップの遮断弁、接続ポート及び／または充填ポートにアクセスするためのものである。
【００１５】
本発明の或る好適実施形態によれば、上方及び下方ハーフシェルの両者は、カバーの両側面の各々に１つの側面開口部を相補的に形成する。
【００１６】
本発明の或る好適実施形態によれば、上方ハーフシェルは略球形である。
【００１７】
本発明の或る好適実施形態によれば、上方及び下方ハーフシェル間の接触面は、カバーの後側部分において上方部分を含み、フックは、シェルの後側部分に枢動可能に取り付けられている。
【００１８】
本発明の或る好適実施形態によれば、下方ハーフシェルは、シェルの上後側部分から下前側部分まで延在するように構成されており、かつガスボンベのネック部を受容するための開口部を含む。
【００１９】
本発明の或る好適実施形態によれば、下方ハーフシェルは、フックが枢動可能に取り付けられた後側部分を含み、該後側部分は、水平バーに接触するための略平坦部分を含む。
【００２０】
本発明の或る好適実施形態によれば、フックは、プラスチック、アルミニウムまたは複合材料で作られたものである。
【００２１】
本発明の或る好適実施形態によれば、フックは、好適には４０ｍｍ２以上、より好適には５０ｍｍ２以上、さらに好適には６０ｍｍ２以上の平坦な部分を有する弓形アームを含む。
【００２２】
本発明の或る好適実施形態によれば、フックは、略三角形状の断面を有する弓形アームを含む。
【００２３】
本発明の或る好適実施形態によれば、フックは、好適には実質的にその全長にわたって、中心角１２０〜２００°、好適には１５０〜１８０°の扇形の弧にわたって、実質的に一定半径で弓形に延在するアームを含む。
【００２４】
本発明はまた、ガス貯蔵アセンブリであって、ネック部分を有するガスボンベと、ネック部分に固定されたタップと、該タップを覆うカバーとを含み、カバーが本発明に従うものであるようなガス貯蔵アセンブリに関する。
【００２５】
本発明の或る好適実施形態によれば、タップは、上方部分においてフローセレクタを、下方部分においてガス出口を、側面部分において遮断弁、接続ポート、充填ポートのうちの少なくとも１つをそれぞれ含み、カバーは、フローセレクタ、ガス出口並びに、遮断弁、接続ポート及び／または充填ポートへのアクセスをそれぞれ提供する上方開口部、下方開口部及び側面開口部を含む。
【発明の効果】
【００２６】
本発明は、使いやすいフック付きのコンパクトなカバーを提供する点及び例えばその操作中にガスボンベの周囲の物体に意図せず引っ掛かるリスクがあるという問題を引き起こさない点において特に興味深い。さらに、２つのハーフシェル及び傾斜した接触面を有する構造は、製造及び組立コストを削減する点で特に興味深い。
【図面の簡単な説明】
【００２７】
【図１】本発明に従うガス貯蔵アセンブリの斜視図であり、フックが格納位置をとっている。
【図２】図１のアセンブリの斜視図であるが、フックが展開位置をとって水平バーに係合している。
【図３】図１及び図２のアセンブリの側面図であり、フックが格納位置をとっている。
【図４】図１及び図２のアセンブリの側面図であり、フックが展開位置をとっている。
【発明を実施するための形態】
【００２８】
図１は、本発明に従うガス貯蔵アセンブリの斜視図である。アセンブリ２は、タップ（図示せず）と、該タップを収容するカバー４とを備えたガスボンベ６を含む。カバー４は、実質的に２つのハーフシェルすなわち上方ハーフシェル７及び下方ハーフシェル８で構成されたシェルを含む。両ハーフシェル７及び８は、垂直及び水平方向に関して略傾斜している接触面１０によって結合されている。この傾斜は、図３及び図４の側面図においてさらに良く見られ、これらの図面に関連してより詳細に説明する。
【００２９】
カバー４にはフック１２も含まれており、フック１２は図１において格納位置をとっている。フックについては、図２〜図４に関連してより詳細に説明する。
【００３０】
上方ハーフシェル７は、タップのガス出口１６のための下方開口部１４を含む。上方ハーフシェル７には、タップのフローセレクタを作動させるための回転可能なホイール２０によって覆われている上方開口部１８も含まれる。
【００３１】
上方及び下方ハーフシェル７及び８は、各々接触面の縁部に切欠きを含み、これらの切欠きは、相補的に、接続ポートの遮断弁を作動させるための周辺ハンドホイルを備えた接続ポート２４のための側面開口部２２を形成する。タップは、実際に、ガス出口１６に加えて、タップの減圧弁に直接流体連通されている接続ポート２４を含むことができる。シェルは、側面開口部２２と同じような第２の側面開口部を反対側に含むこともできる。この第２の側面開口部は、充填ポートへのアクセスを提供することができる。
【００３２】
上方ハーフシェル７はまた、タップを収容するシェル７の壁の上方に実質的に水平に延出するハンドル２６を含む。
【００３３】
図２は、図１のガス貯蔵アセンブリの斜視図であって、フック１２が展開位置をとっており、病院のベッドのサイドバーのような水平バー２８に係合している。
【００３４】
フック１２は、下方ハーフシェル８の上方後部分に枢動可能に取り付けられている。枢動軸（それ自体は図示せず）は、ガスボンベの長手方向軸線に対して略水平、すなわち換言すれば略垂直である。
【００３５】
フック１２は、２つの弓形アーム１２１及び１２２と、２つのアームを相互接続する横方向のバーまたはアーム１２３とを含む。アーム１２１及び１２２は、枢動軸からアームの自由端まで互いに対して実質的に平行に延在する。相互接続バー１２３は、各アーム１２１及び１２２の中間部分間に延在する。フックは、例えばプラスチック成形によって、プラスチック材料の単一片として製造することが好ましい。相互接続バー１２３は、フックを（図１及び図３に示されているような）格納位置から展開するときに容易に把持できるようにするための切欠き１３を含むことができる。
【００３６】
アーム１２１及び１２２と、場合によりバー１２３とが、平坦な材料の部分を有することができる。これらの要素の部分は、実質的に三角形であることが好ましい。これらの要素の断面積は、例えばプラスチック製である場合に十分な剛性を提供するように、好適には４０ｍｍ２以上、より好適には５０ｍｍ２以上、さらに好適には６０ｍｍ２以上である。
【００３７】
図２に部分的に見られるように、下方ハーフシェル８は、その外面に、フックのアーム１２１及び１２２を受容するためのフック受容部３０すなわち延在するくぼみを含む。これらのフック受容部は、図３及び図４においてさらに良く見られるので、これらの図面に関連してより詳細に説明する。
【００３８】
上方ハーフシェル７の壁は、略球形であることが好ましい。下方ハーフシェル８は、図３及び図４に見られるように、より長方形形状であってもよい。
【００３９】
図３及び図４は、図１及び図２のアセンブリの側面図であり、図３ではフックが格納されており、図４ではフックが展開されている。図３及び図４の両図において、２つのハーフシェル７及び８間の接触面１０がはっきり見える。接触面１０は、ガスボンベの垂直方向すなわち長手方向に対して３０〜６０°、好適には４０〜５０°の角度をなしている。フック１２のアーム１２１及び１２２は、枢動軸側の端部からその向かい側の自由端まで、中心角１２０〜２００°、好適には１５０〜１８０°の扇形の弧にわたって、実質的に一定半径で弓形に延在する。図３に見られるように、フック１２のアーム１２１及び１２２の半径は、実質的に側面開口部２２の軸及び遮断弁のハンドホイル２４の軸を中心としている。したがって、アームは、目に見えるフックの外面がハーフシェルの隣接する外面に実質的に適合するように、下方ハーフシェル８のフック受容部３０内にうまく係合することができる。この事実は、相互接続バー１２３に関して、図３に見られる。
【００４０】
下方ハーフシェル８の後面３２は、略平坦である。この面は、フック１２を係合させる水平バー２８（図２）に接触する面である。
【００４１】
図４に見られるように、フックの枢動範囲は９０〜１８０°、好適には１１０〜１５０°であり得る。
【００４２】
下方ハーフシェル８は、ガスボンベのネック部が貫通して延在する下部開口部（図示せず）を含む。カバー４は、好適にはタップに取り付けられてユニットを形成し、このユニットはその後、例えばねじ留めによって、ガスボンベに取り付けられる。その目的のために、タップはハーフシェルの内面の一部に接触する面を含むことができ、それによってシェルがタップに強固に取り付けられるようにすることができる。両ハーフシェル７及び８は、互いに対してねじ留めによって固定されていることが好ましい。両ハーフシェルは、プラスチック射出成形によって製造することができる。
【図１】
0006764341.tif 000002
【図２】
0006764341.tif 000003
【図３】
0006764341.tif 000004
【図４】
0006764341.tif 000005